(57)【要約】  樹脂製の可撓性のモールドを安定的に連続成形することの可能な転写装置及び樹脂パターン製造方法を提供する。  可撓性基材９の樹脂塗布エリア３５と剛性モールド部材２３とを対峙させた状態で、下方より加圧ローラ３１をＺ軸方向に所定圧力で押しつけつつＹ軸正方向に移動させる。この際、可撓性基材９の右端側は一定の張力で右斜め下方に向けて引っ張られている。この状態において、可撓性基材９の光硬化性樹脂４７を剛性モールド部材２３に対して少しずつ押しつけていくと剛性モールド部材２３の凸部と凸部間のまだ転写されていないわずかの隙間から空気を外部に押し出していく。このため、本転写装置１０を減圧環境下に置かなくても光硬化性樹脂４７側に気泡が残ることは無い。
2012070546.tif 000002
【特許請求の範囲】
【請求項１】
剛性若しくは可撓性を有する転写部材と、
剛性若しくは可撓性を有する被転写部材と、
前記転写部材又は前記被転写部材のいずれかの少なくとも一箇所の所定エリアに対し硬化性樹脂を塗布する塗布手段と、
前記転写部材と前記被転写部材とを前記硬化性樹脂を介在して互いに転写する転写手段と、
前記硬化性樹脂を硬化させる硬化手段と、
前記転写された前記転写部材と前記被転写部材とを互いに剥離する剥離手段とを備えた転写装置であって、
前記転写部材及び前記被転写部材のいずれか少なくとも一方の部材は可撓性を有する部材であり、
前記転写手段は、
前記転写部材又は前記被転写部材の内の可撓性を有する一方の部材に対し押し当てつつ前記転写部材又は前記被転写部材の内の他方の部材に対して平行に送り走査する加圧ローラと、
前記可撓性を有する一方の部材を該加圧ローラを支点として前記走査方向より前方斜め方向に向けて所定の張力で牽引する張力発生手段を有することを特徴とする転写装置。
【請求項２】
剛性若しくは可撓性を有する転写部材と、
剛性若しくは可撓性を有する被転写部材と、
前記転写部材又は前記被転写部材のいずれかの少なくとも一箇所の所定エリアに対し硬化性樹脂を塗布する塗布手段と、
前記転写部材と前記被転写部材とを前記硬化性樹脂を介在して互いに転写する転写手段と、
前記硬化性樹脂を硬化させる硬化手段と、
前記転写された前記転写部材と前記被転写部材とを互いに剥離する剥離手段とを備えた転写装置であって、
前記転写部材及び前記被転写部材のいずれか少なくとも一方の部材は可撓性を有する部材であり、
前記剥離手段は、
前記転写部材又は前記被転写部材の内の可撓性を有する一方の部材に対し押し当てつつ前記転写部材又は前記被転写部材の内の他方の部材に対して平行に戻り走査する加圧ローラと、
前記可撓性を有する一方の部材を該加圧ローラを支点として前記走査方向より前方斜め方向に向けて所定の張力で牽引する張力発生手段を有することを特徴とする転写装置。
【請求項３】
前記転写部材又は前記被転写部材のいずれかを反転させる反転手段を備えたことを特徴とする請求項１又は請求項２記載の転写装置。
【請求項４】
前記可撓性を有する一方の部材が前記他方の部材の一端の角部で折曲されるように該可撓性を有する一方の部材の一端を該角部の高さよりも高い位置に保持する第１昇降ロールを備えたことを特徴とする請求項１〜３のいずれか一項に記載の転写装置。
【請求項５】
前記可撓性を有する一方の部材を前記斜め方向に向けて保持する第２昇降ロールを備えたことを特徴とする請求項１〜４のいずれか一項に記載の転写装置。
【請求項６】
前記可撓性を有する一方の部材の繰り出し側を案内し第１のテンションセンサーを有する繰り出し側ガイドロールと、
前記可撓性を有する一方の部材の巻き取り側を案内し第２のテンションセンサーを有する巻き取り側ガイドロールと、
前記可撓性を有する一方の部材を繰り出しする繰り出しロールと、
前記可撓性を有する一方の部材を巻き取りする巻き取りロールとを備え、
前記第１のテンションセンサーで検出した張力を基に前記繰り出しロールを駆動し、
前記第２のテンションセンサーで検出した張力を基に前記巻き取りロールを駆動することを特徴とする請求項１〜５のいずれか一項に記載の転写装置。
【請求項７】
前記硬化手段は、紫外線発光素子を直線状に配列したＵＶ照射機構を備えたことを特徴とする請求項１〜６のいずれか一項に記載の転写装置。
【請求項８】
前記可撓性を有する一方の部材の巻き出し寸法を計測する測長手段と、
該測長手段で計測された巻き出し寸法を基に前記可撓性を有する一方の部材を切断する切断手段を備えたことを特徴とする請求項１〜７のいずれか一項に記載の転写装置。
【請求項９】
剛性若しくは可撓性を有する転写部材の所定エリア、又は、剛性若しくは可撓性を有する被転写部材の所定エリアの内のいずれかの所定エリアに対し硬化性樹脂を塗布し、
前記転写部材と前記被転写部材とを前記硬化性樹脂を介在して互いに転写し、
前記硬化性樹脂を硬化させた後に、
前記転写された前記転写部材と前記被転写部材とを互いに剥離させることで樹脂パターンを作成する樹脂パターン製造方法であって、
前記転写の工程において、
前記転写部材又は前記被転写部材の内の可撓性を有する一方の部材に対し加圧ローラを押し当てつつ該加圧ローラを前記転写部材又は前記被転写部材の内の他方の部材に対して平行に送り走査し、
前記可撓性を有する一方の部材を該加圧ローラを支点として前記走査方向より前方斜め方向に向けて所定の張力で牽引することを特徴とする樹脂パターン製造方法。
【請求項１０】
剛性若しくは可撓性を有する転写部材の所定エリア、又は、剛性若しくは可撓性を有する被転写部材の所定エリアの内のいずれかの所定エリアに対し硬化性樹脂を塗布し、
前記転写部材と前記被転写部材とを前記硬化性樹脂を介在して互いに転写し、
前記硬化性樹脂を硬化させた後に、
前記転写された前記転写部材と前記被転写部材とを互いに剥離させることで樹脂パターンを作成する樹脂パターン製造方法であって、
前記剥離の工程において、
前記転写部材又は前記被転写部材の内の可撓性を有する一方の部材に対し加圧ローラを押し当てつつ該加圧ローラを前記転写部材又は前記被転写部材の内の他方の部材に対して平行に戻り走査し、
前記可撓性を有する一方の部材を該加圧ローラを支点として前記走査方向より前方斜め方向に向けて所定の張力で牽引することを特徴とする樹脂パターン製造方法。
【発明の詳細な説明】
【技術分野】
【０００１】
本発明は転写装置及び樹脂パターン製造方法に係わり、特に、樹脂製の可撓性のモールドを安定的に連続成形することの可能な転写装置及び樹脂パターン製造方法に関する。
【背景技術】
【０００２】
従来、ナノメートルのオーダーの微細凹凸構造が表面に形成されたモールドを用いて、この微細凹凸構造をレジストや樹脂に転写するナノインプリント法が知られている。このナノインプリント法は、フォトリソグラフィーとエッチングを用いた従来の製法に比べて加工時間が短く、微細凹凸構造の形成に必要な装置コストや材料コストが少なくて済み、生産性にも優れるため、近年注目を集めている。【０００３】
また、フォトリソグラフィーとエッチングを用いた製法は、一般的にシリコンウェハーや石英基板などリジッドな（即ち剛性の）基板を基材とした枚葉プロセスを得意とするのに対し、ナノインプリントは剛性の基板を基材とした枚葉プロセスはもちろん、樹脂フィルムのような可撓性の基板を基材とした、ロール・ツー・ロールプロセスとの相性が良いのも特徴である。【０００４】
一方、ロール・ツー・ロールプロセスにはロール状のモールドが必要となるが  ナノオーダーのパターンをロール状に形成するのは非常に困難であるため、０．２ｍｍ厚程度の薄くて曲げられるニッケルモールドを転写用ロールに巻き付けて代用する手法などが提案されている。【０００５】
ここで用いるニッケルモールドは、シリコンウェハー等の剛性の基板上にフォトリソグラフィーを用いてレジストパターンを形成した後、ニッケル電鋳によりその複製を取ることにより作製することができる。なお、この場合レジストパターンを形成後、エッチングした微細パターンからニッケル電鋳により複製を得ても良い。
またナノインプリントにおいて、モールドの傷や汚れ等の欠陥は転写品の欠陥となるため、発生したら直ちにモールドを交換する必要がある。したがってニッケルモールドより安価に得られるモールドが求められる。【０００６】
したがって、ロール・ツー・ロールプロセスに用いられるナノインプリント用のモールドは転写用ロールに巻き付けることができ、かつ、耐久性に優れ、安価であることが望まれる。このため、石英、シリコン等の材質からなる高価で平板の原盤から一旦フィルム上にパターンをナノインプリントした樹脂製の可撓性のモールドを用いることが行われている（特許文献１）。
【先行技術文献】
【特許文献】
【０００７】
【特許文献１】国際公開第２００９／１４８１３８号
【発明の概要】
【発明が解決しようとする課題】
【０００８】
ところで、樹脂製の可撓性のモールドを製造するためには、種々の方法が提案されている。
例えば、平行平板で一定の間隔をおいたステージ間に、光硬化性樹脂を塗布した樹脂フィルムとモールドを、パターン面と光硬化性樹脂塗布面が向かい合う状態で固定し、一方のステージを反対側のステージに精密に平行を維持したまま押し当てた後、ＵＶ光を照射して、パターンを樹脂フィルム上に形成する方法や、光硬化性樹脂を塗布した樹脂フィルムとモールドの原盤をパターン面と光硬化性樹脂塗布面が向かい合うように重ね合わせて設置し、樹脂フィルムに対して加圧ロールを押し当て走査させた後、ＵＶ光を照射して、パターンを樹脂フィルム上に形成するといった方法が挙げられる。【０００９】
前者の方法の場合、面内の押しムラはステージ表面の粗度を低くすることにより抑えることができるが、モールドの面積が大きくなると押し圧を高くする必要があり、装置が大掛かりになる等の問題がある。また、モールドにより転写される際にモールドの凸部と凸部の間に存在する空気が気泡として樹脂パターン表面に残り易く、パターンの欠陥となる恐れがあった。気泡を残存させない方法として、減圧下で転写する方法が提案されているが、同様にモールドのサイズが大きくなるとそれを納めるチャンバーサイズが大きくなり、併せて大容量の真空ポンプが必要となり、装置が大掛かりになる等の問題がある。
後者の方法の場合、加圧ロールの押しムラが転写不良の要因となる。【００１０】
図１１に示すように、転写後に基材となるフィルム１上に塗布された樹脂３には図示しないモールドからの凹凸が転写されるが、この押しムラによって樹脂３の残膜部分（図中残膜の高さをＨで示す）には場所によって高さが均一とはならず膜厚ムラを生じる恐れがあった。【００１１】
本発明はこのような従来の課題に鑑みてなされたもので、樹脂製の可撓性のモールドを安定的に連続成形することの可能な転写装置及び樹脂パターン製造方法を提供することを目的とする。
【課題を解決するための手段】
【００１２】
このため本発明（請求項１）は、剛性若しくは可撓性を有する転写部材と、剛性若しくは可撓性を有する被転写部材と、前記転写部材又は前記被転写部材のいずれかの少なくとも一箇所の所定エリアに対し硬化性樹脂を塗布する塗布手段と、前記転写部材と前記被転写部材とを前記硬化性樹脂を介在して互いに転写する転写手段と、前記硬化性樹脂を硬化させる硬化手段と、前記転写された前記転写部材と前記被転写部材とを互いに剥離する剥離手段とを備えた転写装置であって、前記転写部材及び前記被転写部材のいずれか少なくとも一方の部材は可撓性を有する部材であり、前記転写手段は、前記転写部材又は前記被転写部材の内の可撓性を有する一方の部材に対し押し当てつつ前記転写部材又は前記被転写部材の内の他方の部材に対して平行に送り走査する加圧ローラと、前記可撓性を有する一方の部材を該加圧ローラを支点として前記走査方向より前方斜め方向に向けて所定の張力で牽引する張力発生手段を有することを特徴とする。【００１３】
転写部材は表面に凹凸パターンの施されたモールドを備えた部材である。
そして加圧ローラで転写部材又は被転写部材の内の可撓性を有する一方の部材に対し押し当てつつ転写部材又は被転写部材の内の他方の部材に対して平行に送り走査する。そして、この際には可撓性を有する一方の部材をこの加圧ローラを支点として走査方向より前方斜め方向に向けて所定の張力で牽引する。
このように、転写部材又は被転写部材の内の他方の部材に対し転写部材又は被転写部材の内の可撓性を有する一方の部材を少しずつ押しつけていくと樹脂のまだ転写されていないわずかの隙間から空気が外部に漏れ出ていく。このため、減圧環境下で処理しなくても樹脂側に気泡が残ることは無い。
なお、本発明において、転写部材の凹凸パターンを硬化性樹脂に押し付けることにより、当該凹凸パターンが、硬化性樹脂に転写される。この後、硬化性樹脂を硬化させて、モールドを離型することにより、パターン形状を保持することができる。【００１４】
また、本発明（請求項２）は、剛性若しくは可撓性を有する転写部材と、剛性若しくは可撓性を有する被転写部材と、前記転写部材又は前記被転写部材のいずれかの少なくとも一箇所の所定エリアに対し硬化性樹脂を塗布する塗布手段と、前記転写部材と前記被転写部材とを前記硬化性樹脂を介在して互いに転写する転写手段と、前記硬化性樹脂を硬化させる硬化手段と、前記転写された前記転写部材と前記被転写部材とを互いに剥離する剥離手段とを備えた転写装置であって、前記転写部材及び前記被転写部材のいずれか少なくとも一方の部材は可撓性を有する部材であり、前記剥離手段は、前記転写部材又は前記被転写部材の内の可撓性を有する一方の部材に対し押し当てつつ前記転写部材又は前記被転写部材の内の他方の部材に対して平行に戻り走査する加圧ローラと、前記可撓性を有する一方の部材を該加圧ローラを支点として前記走査方向より前方斜め方向に向けて所定の張力で牽引する張力発生手段を有することを特徴とする。【００１５】
転写部材は、表面に凹凸パターンの施されたモールドを備えた部材である。
そして、加圧ローラで転写部材又は被転写部材の内の可撓性を有する一方の部材に対し押し当てつつ転写部材又は被転写部材の内の他方の部材に対して平行に戻り走査する。そして、この際には可撓性を有する一方の部材をこの加圧ローラを支点として走査方向より前方斜め方向に向けて所定の張力で牽引する。
このように構成することで、転写部材又は被転写部材の内の他方の部材より転写部材又は被転写部材の内の可撓性を有する一方の部材を一定の位置より少しずつ円滑に剥離できる。【００１６】
更に、本発明（請求項３）は転写装置の発明であって、前記転写部材又は前記被転写部材のいずれかを反転させる反転手段を備えて構成した。【００１７】
このことにより、転写部材又は被転写部材の設置作業が容易に行える。【００１８】
更に、本発明（請求項４）は転写装置の発明であって、前記可撓性を有する一方の部材が前記他方の部材の一端の角部で折曲されるように該可撓性を有する一方の部材の一端を該角部の高さよりも高い位置に保持する第１昇降ロールを備えて構成した。【００１９】
可撓性を有する一方の部材が他方の部材の一端の角部で折曲されていることで、転写開始点より完全に転写が行われ、加圧ローラの走査の際に加圧ローラの手前側が剥離されることを防止できる。【００２０】
更に、本発明（請求項５）は転写装置の発明であって、前記可撓性を有する一方の部材を前記斜め方向に向けて保持する第２昇降ロールを備えて構成した。【００２１】
更に、本発明（請求項６）は転写装置の発明であって、前記可撓性を有する一方の部材の繰り出し側を案内し第１のテンションセンサーを有する繰り出し側ガイドロールと、前記可撓性を有する一方の部材の巻き取り側を案内し第２のテンションセンサーを有する巻き取り側ガイドロールと、前記可撓性を有する一方の部材を繰り出しする繰り出しロールと、前記可撓性を有する一方の部材を巻き取りする巻き取りロールとを備え、前記第１のテンションセンサーで検出した張力を基に前記繰り出しロールを駆動し、前記第２のテンションセンサーで検出した張力を基に前記巻き取りロールを駆動することを特徴とする。【００２２】
更に、本発明（請求項７）は転写装置の発明であって、前記硬化手段は、紫外線発光素子を直線状に配列した光照射機構を備えて構成した。【００２３】
紫外線発光素子を直線状に配列したので、紫外線発光素子を一面に配置するのと異なり、安価である。また、一定速度で走査すれば走査方向で照射光量にムラが生じない。なお、硬化手段は、熱等によることも可能である。【００２４】
更に、本発明（請求項８）は転写装置の発明であって、前記可撓性を有する一方の部材の巻き出し寸法を計測する測長手段と、該測長手段で計測された巻き出し寸法を基に前記可撓性を有する一方の部材を切断する切断手段を備えて構成した。【００２５】
更に、本発明（請求項９）は、剛性若しくは可撓性を有する転写部材の所定エリア、又は、剛性若しくは可撓性を有する被転写部材の所定エリアの内のいずれかの所定エリアに対し硬化性樹脂を塗布し、前記転写部材と前記被転写部材とを前記硬化性樹脂を介在して互いに転写し、前記硬化性樹脂を硬化させた後に、前記転写された前記転写部材と前記被転写部材とを互いに剥離させることで樹脂パターンを作成する樹脂パターン製造方法であって、前記転写の工程において、前記転写部材又は前記被転写部材の内の可撓性を有する一方の部材に対し加圧ローラを押し当てつつ該加圧ローラを前記転写部材又は前記被転写部材の内の他方の部材に対して平行に送り走査し、前記可撓性を有する一方の部材を該加圧ローラを支点として前記走査方向より前方斜め方向に向けて所定の張力で牽引することを特徴とする。【００２６】
更に、本発明（請求項１０）は、剛性若しくは可撓性を有する転写部材の所定エリア、又は、剛性若しくは可撓性を有する被転写部材の所定エリアの内のいずれかの所定エリアに対し硬化性樹脂を塗布し、前記転写部材と前記被転写部材とを前記硬化性樹脂を介在して互いに転写し、前記硬化性樹脂を硬化させた後に、前記転写された前記転写部材と前記被転写部材とを互いに剥離させることで樹脂パターンを作成する樹脂パターン製造方法であって、前記剥離の工程において、前記転写部材又は前記被転写部材の内の可撓性を有する一方の部材に対し加圧ローラを押し当てつつ該加圧ローラを前記転写部材又は前記被転写部材の内の他方の部材に対して平行に戻り走査し、前記可撓性を有する一方の部材を該加圧ローラを支点として前記走査方向より前方斜め方向に向けて所定の張力で牽引することを特徴とする。
【発明の効果】
【００２７】
以上説明したように本発明によれば、加圧ローラで転写部材又は被転写部材の内の可撓性を有する一方の部材に対し押し当てつつ転写部材又は前記被転写部材の内の他方の部材に対して平行に送り走査し、可撓性を有する一方の部材をこの加圧ローラを支点として走査方向より前方斜め方向に向けて所定の張力で牽引するように構成したので、転写部材又は被転写部材の内の他方の部材に対し転写部材又は被転写部材の内の可撓性を有する一方の部材を少しずつ押しつけていくことができ、樹脂のまだ転写されていないわずかの隙間から空気を外部に押し出していく。このため、減圧環境下で処理しなくても樹脂側に気泡が残ることは無い。
【図面の簡単な説明】
【００２８】
【図１】本発明の実施形態である転写装置の正面図
【図２】図１中のＡ−Ａ矢視断面図
【図３】本発明の実施形態である転写装置の平面図
【図４】本発明の転写の概念図
【図５】転写装置のそれぞれの処理工程を示す図
【図６】転写装置のそれぞれの処理工程を示す図（転写の詳細）
【図７】転写装置のそれぞれの処理工程を示す図（剥離の詳細）
【図８】本発明の実施形態の多様性について説明する図
【図９】ロール・ツー・ロール方式のナノインプリント転写システムへの適用例
【図１０】複数枚分の塗布エリアを有する可撓性基材の例
【図１１】従来の転写後の基材の様子を示す図
【発明を実施するための形態】
【００２９】
以下、本発明の実施形態について説明する。本発明の実施形態である転写装置の正面図を図１に、図１中のＡ−Ａ矢視断面図を図２に、平面図を図３に示す。
【００３０】
まず、第１の実施形態として、転写部材が剛性モールドであり、被転写部材が可撓性基材９である形態について説明する。
図１〜図３において、転写装置１０の左端には、可撓性基材９の捲回されている繰り出しロール１１とその右上にこの可撓性基材９を案内する繰り出し側ガイドロール１３とが取り付けられている。一方、この転写装置１０の右端には可撓性基材９を巻き取る巻き取りロール１５とその左上にこの可撓性基材９を案内する巻き取り側ガイドロール１７とが取り付けられている。
【００３１】
繰り出し側ガイドロール１３と巻き取り側ガイドロール１７とはＺ軸方向の高さが同じになるように取り付けられている。したがって、可撓性基材９を通紙した際には可撓性基材９はこの繰り出し側ガイドロール１３と巻き取り側ガイドロール１７との間でＹ軸方向に向けて水平に張られるようになっている。
【００３２】
繰り出し側ガイドロール１３と巻き取り側ガイドロール１７にはそれぞれテンションセンサー１９、２１が備えられており、テンションセンサー１９で検出した張力を基に繰り出しロール１１駆動用の図示しないモータに対してトルク制御を行うようになっている。一方、テンションセンサー２１で検出した張力を基に巻き取りロール１５駆動用の図示しないモータに対してトルク制御を行うようになっている。このことにより、可撓性基材９の張力を調整できるようになっている。
【００３３】
転写装置１０の中央部には図示しない真空ポンプから真空引き自在の真空吸着ステージ２０が配設されている。真空吸着ステージ２０の片面には複数の小穴が開けられ、この小穴を通じて外気が真空ポンプ側に吸引されるようになっている。
【００３４】
この真空吸着ステージ２０は水平軸２５回りに回動自在になっており、水平軸２５回りに開いた状態で剛性モールド部材２３を上から載置可能になっている。そして、載置された剛性モールド部材２３はこの真空吸着ステージ２０の小穴における吸引により真空吸着ステージ２０に対し固定されるようになっている。
【００３５】
水平に倒された際の真空吸着ステージ２０及び剛性モールド部材２３の左右側部には可撓性基材９をＺ軸方向上側と下側とから挟み込み、かつ、Ｚ軸方向に昇降自在の第１昇降ロール２７ａ、２７ｂと第２昇降ロール２９ａ、２９ｂがそれぞれ配設されている。
【００３６】
剛性モールド部材２３の可撓性基材９を挟んだ下側には加圧ローラ３１がＹ軸方向に向けて水平に一定速度で移動自在に配設されている。また、剛性モールド部材２３の可撓性基材９を挟んだ下側には図２に示すようにＸ軸方向に図示しないＬＥＤ等の紫外線発光素子を直線状に配置したＵＶ照射ランプ３３が光照射機構として備えられ、このＵＶ照射ランプ３３はＹ軸方向に向けて水平に一定速度で移動自在になっている。
【００３７】
水平に倒された際の真空吸着ステージ２０及び剛性モールド部材２３の第１昇降ロール２７ａ、２７ｂを挟んだ左方には樹脂塗布エリア３５が形成され、このエリア内に樹脂を塗布する樹脂塗布用ノズル３７がＸＹＺ軸型ロボット３９により位置決め制御されるようになっている。
【００３８】
巻き取り側ガイドロール１７には、図示しない測長計が配設され、可撓性基材９の移動距離を計測可能なようになっている。そして、所定長分の転写が終了した段階で可撓性基材９は図３に示す切断ステージ４０に送られ図示しないフィルムカッターにより可撓性基材９を切断可能なようになっている。
【００３９】
次に、本発明の実施形態の動作を説明する。
図４に本発明の転写の概念図を示す。図４（Ａ）において、図示しない真空吸着ステージ２０上には凹凸のパターンの施されたパターン部４３を有する剛性モールド部材２３が載置され、この剛性モールド部材２３は真空吸着ステージ２０に吸着された状態である。剛性モールド部材２３の材質は石英、シリコン、ニッケル等である。
【００４０】
一方、可撓性基材９の樹脂塗布エリア３５には樹脂塗布用ノズル３７により光硬化性樹脂４７が塗布されている。ここに可撓性基材９の材質としては熱可塑性樹脂又は、熱硬化性樹脂フィルムを用いることができる。
【００４１】
また、光硬化性樹脂４７の材質としては光ラジカル重合により光硬化しうる光硬化性組成物を用いることができる。光硬化性樹脂４７を塗布する方法としては、ダイコート、バーコート、ブレードコート、ナイフコート、ロールコート、スプレイコート、インクジェット等で可能である。
なお、光硬化性樹脂４７の代わりに、熱ラジカル重合により熱硬化しうる熱硬化性樹脂を用いることもできる。その際には、ＵＶ照射ランプ３３の代わりに、Ｘ軸方向に直線状の赤外ヒーター等を加熱装置として備え、この赤外ヒーターをＹ軸方向に向けて水平に一定速度で走査すればよい。
【００４２】
剛性モールド部材２３の表面には離形性を向上するために予め表面処理が施されていてもよい。この表面処理にはフルオロアルキル基（エーテル性酸素原子を有していてもよい。）、シリコーン鎖、又は炭素数４〜２４の長鎖アルキル基を有する化合物を含むことが好ましく、フルオロアルキル基を有する化合物を含むことが特に好ましい。
【００４３】
図４（Ｂ）において、図示しない真空吸着ステージ２０上に剛性モールド部材２３を載置した後、真空吸着ステージ２０を反転させて、可撓性基材９と対峙させる。このように剛性モールド部材２３を載置した後に反転させればよいので作業が容易である。
【００４４】
この際には、可撓性基材９の樹脂塗布エリア３５が剛性モールド部材２３のパターン部４３全体より広く、剛性モールド部材２３の外形よりも狭く配置されている。即ち、図４（Ａ）に示すように、樹脂塗布エリア３５は可撓性基材９の内側に形成され、更に、剛性モールド部材２３は樹脂塗布エリア３５の面よりも外側に形成されている。
【００４５】
図４（Ｃ）は転写の工程である。このように可撓性基材９の樹脂塗布エリア３５と剛性モールド部材２３とを対峙させた状態で、下方より加圧ローラ３１をＺ軸方向に所定圧力で押しつけつつＹ軸正方向に移動させる。この際、可撓性基材９の右端側は一定の張力で右斜め下方に向けて引っ張られている。
【００４６】
この状態において、可撓性基材９上の光硬化性樹脂４７を剛性モールド部材２３に対して少しずつ押しつけていくと剛性モールド部材２３の凸部と凸部間のまだ転写されていないわずかの隙間から空気が外部に漏れ出ていく。このため、本転写装置１０を減圧環境下に置かなくても光硬化性樹脂４７側に気泡が残ることは無い。
【００４７】
更に、図４（Ｄ）に示すように、ＵＶ照射により光硬化性樹脂４７を硬化させるが、紫外線が透過可能であれば、剛性モールド部材２３側、可撓性基材９側のいずれの側から照射されてもよい。
【００４８】
その後、図４（Ｅ）に示すように可撓性基材９の光硬化性樹脂４７を剛性モールド部材４３から剥離していく。この処理では、下方より加圧ローラ３１をＺ軸方向に所定圧力で押しつけつつ図４（Ｃ）の転写工程とは逆にＹ軸負方向に移動させる。この際、可撓性基材９の右端側は一定の張力で右斜め下方に向けて引っ張られている。このことにより、剥離部の位置が一定に保たれ、かつ剥離速度が一定に保たれ、その結果徐々に剥離がなされるため円滑な剥離が可能である。
【００４９】
次に、転写装置のそれぞれの処理工程を図５、図６及び図７に基づき詳細に説明する。図５（Ａ）は樹脂基材通し工程である。第１昇降ロール２７ａ、２７ｂと第２昇降ロール２９ａ、２９ｂとはそれぞれ開放しており、繰り出し側ガイドロール１３と巻き取り側ガイドロール１７の間に可撓性基材９がＹ軸方向に水平に所定の張力で均衡された状態に張られている。
【００５０】
次に、図５（Ｂ）の樹脂塗布工程では、第１昇降ロール２７ａ、２７ｂと第２昇降ロール２９ａ、２９ｂとをそれぞれ閉じる。この状態で樹脂塗布用ノズル３７は、ＸＹＺ軸型ロボット３９により移動されつつ樹脂塗布エリア３５内に対し樹脂を塗布する。このとき、第１昇降ロール２７ａ、２７ｂにより可撓性基材９の一端は固定されている一方で、他端側はテンションセンサー１９で張力が一定にされているので、塗布膜厚が均一に保たれる。
【００５１】
次に、図５（Ｃ）のシート送り工程では、第１昇降ロール２７ａ、２７ｂと第２昇降ロール２９ａ、２９ｂとをそれぞれ開放した状態で可撓性基材９の光硬化性樹脂４７面が剛性モールド部材２３の面と合わさる位置まで可撓性基材９をＹ軸正方向に移動させる。
【００５２】
次に、図５（Ｄ）の転写工程では、再び第１昇降ロール２７ａ、２７ｂと第２昇降ロール２９ａ、２９ｂとを閉じる。この際、可撓性基材９を一気に剛性モールド部材２３に押しつけるのではなく加圧ローラ３１を走査させることで少しずつ押しつけていくようにする。
【００５３】
即ち、図６の転写工程詳細説明図に示すように、まず図６（Ａ）において第１昇降ロール２７ａ、２７ｂを上昇させ、一方、第２昇降ロール２９ａ、２９ｂを下降させる。第１昇降ロール２７ａ、２７ｂの上昇により、可撓性基材９は剛性モールド部材２３の底面角部において「く」の字（「Ｌ」の字）に折曲される。
【００５４】
この状態で、下方より加圧ローラ３１をＺ軸方向に所定圧力で押しつけつつＹ軸正方向に一定速度で移動させる。この際、可撓性基材９の右端側は巻き戻し用ガイドローラ１７のテンションセンサー２１により一定の張力で右斜め下方に向けて引っ張られている。
【００５５】
この状態において、可撓性基材９の光硬化性樹脂４７を剛性モールド部材２３に対して少しずつ加圧ローラ３１で押しつけていくと剛性モールド部材２３の凸部と凸部間のまだ転写されていないわずかの隙間から空気が外部に漏れ出ていく。
【００５６】
また、このように剛性モールド部材２３の底面角部において「く」の字（「Ｌ」の字）に折曲されていることで、転写開始点より完全に転写が行われ、加圧ローラ３１のＹ軸正方向への移動の際に加圧ローラ３１から見たときのＹ軸負方向側が剥離されることを防止できる。
その後、図６（Ｂ）のように、加圧ローラ３１の走査は終了する。
【００５７】
次に、図５（Ｅ）のＵＶ照射工程では、図２に示すようにＸ軸方向に直線状であるＵＶ照射ランプ３３がＹ軸方向に向けて水平に一定速度で走査されることで紫外線が照射され光硬化性樹脂４７を硬化させる。ＵＶ照射ランプ３３は一面に配置するのと異なり、Ｘ軸方向に直線状に構成したので安価である。また、一定速度で走査されることでＹ軸方向には照射光量にムラが生じない。
【００５８】
次に、図５（Ｆ）の剥離工程では、硬化された光硬化性樹脂４７を剛性モールド部材２３から剥離させる。この際、転写工程と同様に可撓性基材９を一気に剛性モールド部材２３から剥離させるのではなく加圧ローラ３１を走査させつつ剥がすようにする。
【００５９】
即ち、図７の剥離工程詳細説明図に示すように、可撓性基材９を徐々に剥がすために加圧ローラ３１を支点にするように加圧ローラ３１をＹ軸負方向に移動させる。この際、可撓性基材９の右端側は巻き戻し用ガイドローラ１７のテンションセンサー２１により一定の張力で右斜め下方に向けて引っ張られている。その後、加圧ローラ３１が戻り終わった時点で第２昇降ロール２９ａ、２９ｂを上昇させ、第１昇降ロール２７ａ、２７ｂを下降させる。そして、図７（Ｃ）において可撓性基材９を切断ステージ４０に送る。
【００６０】
以上により、可撓性基材９上の光硬化性樹脂４７に高精度な転写が行われる。このようにして完成した可撓性基材９及び光硬化性樹脂４７からなる樹脂パターン１００は、光硬化性樹脂４７の膜厚を均一にできる。
【００６１】
なお、光硬化性樹脂は図８（Ａ）に示すように、モールド側と基材側のいずれに塗布されてもよい。本実施形態では、基材である可撓性基材９上に光硬化性樹脂４７を塗布するとして説明をした。しかしながら、図８（Ａ）の塗布工程に示すように、光硬化性樹脂１４７は本実施形態のように基材１０９側に塗布されてもよいし、モールド１２３側に塗布されてもよい。
【００６２】
また、本実施形態では、被転写部材が可撓性基材９であり、転写部材が剛性モールド部材２３である場合を説明した。しかしながら、図８（Ｂ）の転写工程に示すように、加圧ローラ３１を当てられる部材が可撓性を有する転写部材、即ち可撓性のモールドであってもよい。
この場合、被転写部材は可撓性であっても剛性であってもよい。
【００６３】
更に、同様に、本実施形態の剥離工程では、転写工程と同様に図８（Ｄ）に示すように、加圧ローラ３１を当てられる部材は可撓性を有する転写部材、即ち可撓性のモールドであってもよい。
この場合、被転写部材は可撓性であっても剛性であってもよい。
【００６４】
即ち、本発明の他の実施形態においては、転写部材が可撓性を有する部材、即ち可撓性のモールドであってもよい。
そして、被転写部材は可撓性であっても剛性であってもよい（第２の実施形態）。この場合は、可撓性モールドに加圧ローラ３１を当てることになる。そして、図８（Ａ）の塗布工程に示すように、光硬化性樹脂１４７は基材１０９側に塗布されてもよいし、モールド１２３側に塗布されてもよい。剛性の被転写部材は、ガラス板であってもよい。
【００６５】
なお、可撓性モールドとしては、熱可塑性樹脂又は熱硬化性樹脂フィルムや、可撓性を持つ金属シートを基材とし、その片面にナノインプリントで樹脂パターンを形成したものを用いることができるが、紫外線が透過する熱可塑性樹脂又は熱硬化性樹脂フィルムを基材としたものが好ましい。
【００６６】
更に、本実施形態のＵＶ照射工程では、可撓性基材９の下側からＵＶ照射ランプ３３で照射するとして説明したが、紫外線が通過可能であれば、図８（Ｃ）に示すように、基材１０９の下方から照射してもモールド１２３の上方から照射してもいずれでもよい。
【００６７】
第１の実施形態は、可撓性の熱可塑性樹脂又は熱硬化性樹脂フィルムを基材として使用し、剛性の高い石英やシリコンや金属等をモールドとして使用する場合に適する。第２の実施形態は、可撓性のモールドとして樹脂モールドを使用し、ガラス板、熱可塑性樹脂又は熱硬化性樹脂フィルムを基材として使用する場合に適する。
【００６８】
次に、この転写装置１０で作成した樹脂モールド１００を図示しないロール・ツー・ロール方式のナノインプリント転写システムに適用した場合について説明する。転写部分は従来、図９のようにドラム式に構成されている。図９において枚葉のモールド１００を（例えば３枚）円柱状の転写ドラム５０に貼り付けて用いていた。
【００６９】
しかしながら、このように３枚の樹脂モールド１００が独立している場合、それぞれの樹脂モールド１００の位置を微調整する必要がある。また、３箇所取り付け作業を行うため煩雑である。
【００７０】
一方、本発明の実施形態では、図１０に示すように、可撓性基材９上に複数枚分の樹脂塗布エリア３５を形成可能である。かかる構成によれば、例えば３連の樹脂塗布エリア３５Ａ、３５Ｂ、３５Ｃを有する樹脂モールド２００を生成し、この樹脂モールド２００を転写ドラム５０に巻き付けることで簡単に取り付け作業を終了することができる。
【産業上の利用可能性】
【００７１】
本発明の転写装置及び樹脂パターン製造方法は、ナノインプリント用のモールド（特に凸部の幅、高さ、ピッチのうちのいずれかの最大寸法が９５０ｎｍ以下のモールド）を用いる樹脂パターンの製造に有用である。
なお、２０１０年１１月２２日に出願された日本特許出願２０１０−２６０３８７号の明細書、特許請求の範囲、図面及び要約書の全内容をここに引用し、本発明の明細書の開示として、取り入れるものである。
【符号の説明】
【００７２】
９  可撓性基材
１０  転写装置
１１  繰り出しロール
１３  繰り出し側ガイドロール
１５  巻き取りロール
１７  巻き取り側ガイドロール
１９、２１  テンションセンサー
２０  真空吸着ステージ
２３  剛性モールド部材
２７ａ、２７ｂ  第１昇降ロール
２９ａ、２９ｂ第２昇降ロール
３１  加圧ローラ
３３  ＵＶ照射ランプ
３５  樹脂塗布エリア
３７  樹脂塗布用ノズル
３９  ＸＹＺ軸型ロボット
４０  切断ステージ
４３  パターン部
４７、１４７  光硬化性樹脂
５０  転写ドラム
１００、２００  樹脂モールド
【図１】
2012070546.tif 000003
【図２】
2012070546.tif 000004
【図３】
2012070546.tif 000005
【図４】
2012070546.tif 000006
【図５】
2012070546.tif 000007
【図６】
2012070546.tif 000008
【図７】
2012070546.tif 000009
【図８】
2012070546.tif 000010
【図９】
2012070546.tif 000011
【図１０】
2012070546.tif 000012
【図１１】
2012070546.tif 000013
【国際調査報告】
2012070546.tif 000014
2012070546.tif 000015
2012070546.tif 000016
2012070546.tif 000017